(57)【特許請求の範囲】
【請求項１】
空間を照らす複数の照明器具と、
ユーザインターフェース部を有する端末装置とを備え、
前記端末装置は、動作モードとして設定モードと誘導モードとを有し、
前記設定モードにおいて、前記端末装置は、前記空間における人に対する誘導経路を含む少なくとも１つの誘導パターンの設定操作または変更操作を、前記ユーザインターフェース部を介して受け付け、
前記誘導モードにおいて、前記端末装置は、前記少なくとも１つの誘導パターンに従って前記複数の照明器具における調光および調色の少なくとも一方を制御し、
前記設定モードは、配置設定モードと誘導設定モードとを含み、
前記配置設定モードにおいて、前記端末装置は、前記空間における前記複数の照明器具の配置を示す配置データの設定操作を、前記ユーザインターフェース部を介して受け付け、
前記誘導設定モードにおいて、前記端末装置は、前記配置データに従って前記複数の照明器具の配置図を前記ユーザインターフェース部に表示し、かつ、前記少なくとも１つの誘導パターンの設定操作を、前記ユーザインターフェース部を介して受け付ける
点灯制御システム。
【請求項２】
前記配置データは、前記空間内における人の移動を制限する物の配置を示すフロアマップを含み、
前記誘導設定モードにおいて、前記端末装置は、前記配置データに従って前記フロアマップを前記配置図に重畳させて前記ユーザインターフェース部に表示する
請求項１に記載の点灯制御システム。
【請求項３】
前記設定モードにおいて、前記端末装置は、複数の前記誘導パターンを組み合わせたスケジュールを作成する設定指示を、前記ユーザインターフェース部を介して受け付け、
前記誘導モードにおいて、前記端末装置は、前記スケジュールに従って複数の前記誘導パターンのうちの１つの誘導パターンを選択する
請求項１または２に記載の点灯制御システム。
【請求項４】
前記少なくとも１つの前記誘導パターンは、平常時用の誘導パターンと、災害時用の避難パターンとを含み、
前記誘導モードにおいて、前記端末装置は、前記避難パターンにおける調光および調色の少なくとも一方の変化を、前記平常時用の誘導パターンの調光および調色の少なくとも一方の変化よりも大きくするように制御する
請求項１〜３の何れか１項に記載の点灯制御システム。
【請求項５】
前記端末装置は、前記誘導モードにおいて、前記複数の照明器具のうちの制御対象の照明器具の照度を、環境照度の２倍以上または２分の１以下に変化させる
請求項１〜４の何れか１項に記載の点灯制御システム。
【請求項６】
前記端末装置は、前記誘導モードにおいて、前記複数の照明器具のうちの制御対象の照明器具の色温度を、環境色温度に対して５００Ｋ以上の差になるように変化させる
請求項１〜５の何れか１項に記載の点灯制御システム。
【請求項７】
空間を照らす複数の照明器具を制御する端末装置であって、
ユーザインターフェース部を備え、
前記端末装置は、動作モードとして設定モードと誘導モードとを有し、
前記設定モードにおいて、前記空間における人に対する誘導経路を含む少なくとも１つ誘導パターンの設定操作または変更操作を、前記ユーザインターフェース部を介して受け付け、
前記誘導モードにおいて、前記少なくとも１つの誘導パターンに従って前記複数の照明器具における調光および調色の少なくとも一方を制御し、
前記設定モードは、配置設定モードと誘導設定モードとを含み、
前記配置設定モードにおいて、前記端末装置は、前記空間における前記複数の照明器具の配置を示す配置データの設定操作を、前記ユーザインターフェース部を介して受け付け、
前記誘導設定モードにおいて、前記端末装置は、前記配置データに従って前記複数の照明器具の配置図を前記ユーザインターフェース部に表示し、かつ、前記少なくとも１つの誘導パターンの設定操作を、前記ユーザインターフェース部を介して受け付ける
端末装置。
【発明の詳細な説明】
【技術分野】
【０００１】
本発明は、複数の照明器具と端末装置とを備える点灯制御システムおよびその端末装置に関する。
【背景技術】
【０００２】
特許文献１は、人を避難誘導するための誘導路に配設された複数の発光ダイオードを時系列に順次点灯させる送り点灯及び送り点灯よりも暗い明るさで発光ダイオードを点灯させる低出力点灯を行う点灯制御システムを開示している。
【０００３】
特許文献２に係る照明制御システムは、複数の灯具の配置を表示する表示部と、表示部に表示され、各灯具の明暗に影響を与える灯具制御アイコンを記憶する記憶部と、表示部上で灯具制御アイコンの位置を操作可能な操作入力部と、複数の灯具の配置と灯具制御アイコンの位置とに応じて、複数の灯具の点灯パターンを設定する制御部とを備える。この照明制御システムは、部屋の事前知識の有無によらず、部屋の用途に応じた灯具の点灯パターンを設定することを可能にする。
【先行技術文献】
【特許文献】
【０００４】
【特許文献１】特開２００８−１５８７５５号公報
【特許文献２】特開２０１３−５４８６２号公報
【発明の概要】
【発明が解決しようとする課題】
【０００５】
しかしながら、特許文献１の点灯制御システムは、固定的な避難誘導路でしか人を誘導することができない。また、特許文献２では、部屋の用途に応じた適切な点灯パターンを動的に設定できるが、人を誘導することができない。
【０００６】
例えば、店舗、空港、劇場、会社、駅など多数の人が集まり移動する空間では、人の回遊時間や滞留時間が無駄に長くなることが多い。このような空間では多数の人を適切に誘導することが望ましい。ところが、時間帯、曜日、災害時等の状況に依存して人の移動方向や移動パターンは一定ではなく、また、空間における人が移動可能な通路も一定ではない。状況の変化に対応して多数の人を適切に誘導することが望まれる。
【０００７】
そこで本発明は、状況に応じて人の誘導パターンを容易に変更することができる点灯制御システムおよび端末装置を提供することを目的とする。
【課題を解決するための手段】
【０００８】
上記目的を達成するために、本発明に係る点灯制御システムの一形態は、空間を照らす複数の照明器具と、ユーザインターフェース部を有する端末装置とを備え、前記端末装置は、動作モードとして設定モードと誘導モードとを有し、前記設定モードにおいて、前記端末装置は、前記空間における人に対する誘導経路を含む少なくとも１つの誘導パターンの設定操作または変更操作を、前記ユーザインターフェース部を介して受け付け、前記誘導モードにおいて、前記端末装置は、前記少なくとも１つの誘導パターンに従って前記複数の照明器具における調光および調色の少なくとも一方を制御する。
【０００９】
また、本発明に係る端末装置の一形態は、空間を照らす複数の照明器具を制御する端末装置であって、ユーザインターフェース部を備え、前記端末装置は、動作モードとして設定モードと誘導モードとを有し、前記設定モードにおいて、前記空間における人に対する誘導経路を含む少なくとも１つ誘導パターンの設定操作または変更操作を、前記ユーザインターフェース部を介して受け付け、前記誘導モードにおいて、前記少なくとも１つの誘導パターンに従って前記複数の照明器具における調光および調色の少なくとも一方を制御する。
【発明の効果】
【００１０】
本発明に係る点灯制御システムおよび端末装置によれば、状況に応じて人の誘導パターンを容易に変更することができる。
【図面の簡単な説明】
【００１１】
【図１】図１は、実施の形態における点灯制御システムの概略構成例を示す模式図である。
【図２】図２は、実施の形態における点灯制御システムの構成例を示すブロック図である。
【図３Ａ】図３Ａは、実施の形態におけるメモリに記憶されたプログラムおよびデータの一例を示す図である。
【図３Ｂ】図３Ｂは、実施の形態におけるメモリに記憶された誘導スケジュールの一例を示す図である。
【図４】図４は、実施の形態における端末装置の表示画面の一例を示す図である。
【図５】図５は、実施の形態における誘導モードでの視覚上の照明光の流れの一例を示す図である。
【図６】図６は、実施の形態における誘導設定モードの表示画面の一例を示す図である。
【図７Ａ】図７Ａは、実施の形態における端末装置の処理例を示すフローチャート図である。
【図７Ｂ】図７Ｂは、実施の形態における端末装置の配置設定モードでの処理例を示すフローチャート図である。
【図７Ｃ】図７Ｃは、実施の形態における端末装置の誘導設定モードでの処理例を示すフローチャート図である。
【図８Ａ】図８Ａは、実施の形態における端末装置のメニュー画面例を示す図である。
【図８Ｂ】図８Ｂは、実施の形態における端末装置の配置設定モードでの画面例を示す図である。
【図８Ｃ】図８Ｃは、実施の形態における端末装置の誘導設定モードでの画面例を示すフローチャート図である。
【図８Ｄ】図８Ｄは、実施の形態における端末装置の誘導モードでの画面例を示す図である。
【図９Ａ】図９Ａは、実施の形態における端末装置の誘導の一例を示す図である。
【図９Ｂ】図９Ｂは、実施の形態における端末装置の誘導の他の例を示す図である。
【図１０Ａ】図１０Ａは、実施の形態における端末装置の誘導の一例を示す図である。
【図１０Ｂ】図１０Ｂは、実施の形態における端末装置の避難誘導の一例を示す図である。
【図１１】図１１は、実施の形態における点灯制御システムの他の構成例を示すブロック図である。
【発明を実施するための形態】
【００１２】
以下、本発明の実施の形態について、図面を用いて詳細に説明する。なお、以下で説明する実施の形態は、いずれも本発明の好ましい一具体例を示す。以下の実施の形態で示される数値、形状、材料、構成要素、構成要素の配置位置及び接続形態等は、一例であり、本発明を限定する主旨ではない。また、以下の実施の形態における構成要素のうち、本発明の最上位概念を示す独立請求項に記載されていない構成要素については、より好ましい形態を構成する任意の構成要素として説明する。また、各図は、模式図であり、必ずしも厳密な寸法を表すものではない。
【００１３】
（実施の形態）
［構成例］
まず、本実施の形態における点灯制御システムの概略構成例について説明する。
【００１４】
図１は、実施の形態における点灯制御システムの概略構成例を示す模式図である。図１に示すように、実施の形態における点灯制御システムは、複数の照明器具１００および端末装置２００を備える。
【００１５】
複数の照明器具１００は、店舗、展示会場、空港、劇場、会社、駅、テーマパーク、公園、客船など多数の人が移動する空間を照明する。各照明器具１００は、端末装置２００と通信する機能を有する。この通信は無線通信が望ましいが有線通信であってもよい。なお、照明器具１００は、図１のような直管型照明器具に限らず、円環型照明器具、ダウンライト型照明器具でもよく、形状を問わない。また、複数の照明器具１００には、異なる型の照明器具１００が混在していてもよい。
【００１６】
端末装置２００は、ユーザインターフェース部２１０を有し、複数の照明器具１００を制御する。ユーザインターフェース部２１０は、表示パネルおよびタッチパネルを含む。端末装置２００のハードウェア構成は、例えば、無線通信機能を有するタブレット端末またはスマートフォンと同様の構成でよい。図１の端末装置２００は、動作モードとして設定モードと誘導モードとを有する。設定モードにおいて、端末装置２００は、空間における人に対する誘導経路を含む少なくとも１つの誘導パターンの設定操作または変更操作を、ユーザインターフェース部２１０を介して受け付ける。また、誘導モードにおいて、端末装置２００は、少なくとも１つの誘導パターンに従って複数の照明器具１００における調光および調色の少なくとも一方を制御する。この制御では、端末装置２００は、複数の照明器具１００による照明光が誘導方向に人の視覚上流れるように変化させる。この照明光の視覚上の流れが人の移動を誘導する。
【００１７】
このように、端末装置２００は、設定モードにおいて誘導パターンの設定操作または変更操作を受け付け、誘導モードにおいて人を誘導するように複数の照明器具１００を制御する。これにより、状況に応じて人の誘導パターンを容易に変更することができる。
【００１８】
［照明器具の構成例］
次に、本実施の形態における点灯制御システムのより詳細な構成例について説明する。
【００１９】
図２は、実施の形態における点灯制御システムの構成例を示すブロック図である。図２の点灯制御システムは、複数の照明器具１００と端末装置２００とを備える。
【００２０】
複数の照明器具１００のそれぞれは、光源ユニット１１０、点灯回路１１１、制御回路１１２、通信部１１３、記憶部１１４、および電源回路１１５を備える。
【００２１】
光源ユニット１１０は、１以上の発光素子を備える。１以上の発光素子は、例えば、複数のＬＥＤ（Light Emitting Diode）素子である。なお、１以上の発光素子は、ＬＥＤ素子に限定されない。光源ユニット１１０は、例えば、半導体レーザ等の半導体発光素子、有機ＥＬ（Electro Luminescence）または無機ＥＬ等の固体発光素子を有してもよい。また、光源ユニット１１０は、直管型または円環型の蛍光灯でもよいし、いわゆるダウンライトでもよい。
【００２２】
点灯回路１１１は、光源ユニット１１０の点灯、点滅、消灯等に対応する電圧または電流を光源ユニット１１０に供給する。この電圧または電流は、光源ユニット１１０が複数のＬＥＤ素子である場合、例えば、調光比、調色比等の照明態様に応じて異なる。
【００２３】
制御回路１１２は、複数の照明態様に対応して点灯回路１１１を制御する。また、制御回路１１２は、照明器具１００の複数の機能のそれぞれを実現する制御を行う。複数の機能には、例えば、明るさを調節する調光機能、色温度を調節する調色機能、時間をかけて明るさを調節するフェード機能、等々がある。
【００２４】
通信部１１３は、端末装置２００と通信する。通信部１１３は、端末装置２００から調光または調色等を指示するコマンドを受信する。図２では、通信部１１３は無線による通信を行う例を示している。
【００２５】
記憶部１１４は、通信部１１３により受信されたコマンドまたはデータを記憶する。
【００２６】
電源回路１１５は、照明器具１００内の各部に電源を供給する。
【００２７】
［端末装置の構成例］
図２の端末装置２００は、ユーザインターフェース部２１０、ＣＰＵ２１３、メモリ２１４、通信部２１５およびカメラ２１６を備える。
【００２８】
ユーザインターフェース部２１０は、表示パネル２１１とタッチパネル２１２とを備える。表示パネル２１１は、操作メニュー等を表示する。タッチパネル２１２は、ユーザ操作を受け付ける。
【００２９】
メモリ２１４は、プログラムおよびデータを記憶する。メモリ２１４に記憶されたプログラムは、配置設定プログラム２１、誘導設定プログラム２２、誘導プログラム２３を含む。ＣＰＵ２１３は、メモリ２１４に記憶されたプログラムを実行することによって、上記の設定モードおよび誘導モードの各動作を実行する。上記の設定モードは、ＣＰＵ２１３が配置設定プログラム２１を実行することによる配置設定モードと、ＣＰＵ２１３が誘導設定プログラム２２を実行することによる誘導設定モードとを含む。また、誘導モードはＣＰＵ２１３が誘導プログラム２３を実行することによる。
【００３０】
通信部２１５は、複数の照明器具１００と通信する。図２では通信部２１５は、無線通信をするが、有線通信でもよい。
【００３１】
カメラ２１６は、例えば、店舗のレイアウト図、複数の照明器具１００の配置を示す設計図等を撮像する。撮像されたレイアウト図、設計図は、設定モードにおいて利用可能である。
【００３２】
［メモリ中のプログラム例およびデータ例］
次に、メモリ２１４に記憶されるプログラムおよびデータについてさらに詳しく説明する。図３Ａは、実施の形態におけるメモリ２１４に記憶されるプログラムおよびデータの詳細な一例を示す図である。図３Ａでは、メモリ２１４は、プログラムとして配置設定プログラム２１、誘導設定プログラム２２および誘導プログラム２３を記憶する。また、メモリ２１４は、データとして配置データ２１ｄおよび誘導データ２３ｄを記憶する。配置データ２１ｄは、照明マップ２１ａおよびフロアマップ２１ｂを含む。誘導データ２３ｄは、複数の誘導パターン２２ａ〜２２ｎ、避難パターン２２ｚおよび誘導スケジュール２３ｓを含む。
【００３３】
［配置設定プログラムと配置データ］
ＣＰＵ２１３が配置設定プログラム２１を実行することにより、端末装置２００は配置設定モードの動作を行う。配置設定モードは、空間における複数の照明器具１００の配置、および、空間内の人の移動を制限する物の配置を示す配置データ２１ｄをユーザ操作に基づいて作成または変更する動作モードである。この配置データ２１ｄのうち、空間内の複数の照明器具１００の配置を示すデータを照明マップ２１ａと呼ぶ。配置データ２１ｄのうち、空間内の人の移動を制限する物の配置を示すデータをフロアマップ２１ｂと呼ぶ。
【００３４】
［誘導設定プログラムと誘導データ］
ＣＰＵ２１３が誘導設定プログラム２２を実行することにより、端末装置２００は誘導設定モードの動作を行う。誘導設定モードは、少なくとも１つの誘導パターン２２ａ、および誘導スケジュールを作成または変更する動作モードである。
【００３５】
端末装置２００は、誘導設定モードにおいて、空間における人に対する誘導経路または誘導方向を含む少なくとも１つの誘導パターン２２ａの設定操作または変更操作を、ユーザインターフェース部２１０を介して受け付ける。
【００３６】
図４は、実施の形態における端末装置２００の誘導設定モードにおける表示画面の一例を示す図である。図４の表示画面例は、重畳されて表示された照明マップ２１ａ、フロアマップ２１ｂ、および誘導設定モードでの設定事項（照明器具１００のグループと誘導方向）を含む。同図の照明マップ２１ａは、照明器具１００のアイコンである白丸の集合である。ここでは、照明器具１００のアイコン（つまり白丸）は二次元状に配置されている。
【００３７】
同図のフロアマップ２１ｂは、斜め線でハッチングされた図形（この図形は人の移動を制限する物を表す）の集合である。このような照明マップ２１ａとフロアマップ２１ｂの重畳表示により、ユーザは照明器具１００の配置と人が移動可能な通路とを一瞥して確認することができる。
【００３８】
また、図４中の破線枠は、誘導設定モードにおいてユーザ操作により設定された照明器具１００のグループを表す。同図では複数の照明器具１００は、グループ１０ａ、１０ｂ、１０ｃの３つにグループを含む。この破線枠は、ユーザの設定操作または変更操作に従って描画される。
【００３９】
図４中の太い矢線は、誘導設定モードにおいてユーザ操作により設定された誘導方向または誘導路を表す。グループ１０ａでは図４の上方向（店舗の奥に向かう方向）、グループ１０ｂでは図４の右方向、グループ１０ｃでは図４の下方向（店舗の入り口に向かう方向）が誘導方向として設定されている。この太い矢線は、ユーザの設定操作または変更操作に従って表示画面上に描画される。
【００４０】
ユーザは、誘導設定モードにおいて、照明マップ２１ａおよびフロアマップ２１ｂを含む表示画面上で、複数の照明器具１００のグループの設定又は変更と、誘導方向の設定または変更とを容易にすることができる。
【００４１】
［誘導設定プログラムと誘導スケジュール］
さらに、端末装置２００は、誘導設定モードにおいて、誘導スケジュール２３ｓの設定操作または変更操作を、ユーザインターフェース部２１０を介して受け付ける。誘導スケジュール２３ｓは、誘導モードにおいて実行すべき誘導パターンとその条件とを規定する。この条件には、開始時刻、終了時刻、事象の発生、環境状態等が設定可能である。
【００４２】
図３Ｂは、実施の形態におけるメモリ２１４に記憶された誘導スケジュール２３ｓの一例を示す図である。図３Ｂの誘導スケジュール２３ｓは、条件と、条件が満たされるときに実行すべき誘導パターンとが対応付けられている。誘導スケジュール２３ｓは、複数の誘導パターンを組み合わせた時系列的なスケジュールだけでなく、イベントトリガー型のスケジュールも含めることができる。例えば、条件として開始時刻および終了時刻が設定されている誘導パターンの組み合わせは時系列型のスケジュールを表す。条件としてイベント（例えば火災発生）が設定されている誘導パターン（図３Ｂでは避難パターン）はイベントトリガー型のスケジュールを表す。また、図３Ｂ中の「雨」は外部環境の状態を条件の一部として設定されている。「雨、開始時刻Ａ、終了時刻Ｂ」が設定されている誘導パターンは、時系列型のスケジュールとイベントトリガー型のスケジュールとが複合された複合型スケジュールを表す。また、複数の誘導パターンが条件を同時に満たす場合は優先度に従って１つの誘導パターンが選択される。例えば、図３Ｂでは、イベントトリガー型、複合型、時系列型の順に高い優先度を有する。あるいは、条件に、優先度を明示的に含めてもよい。
【００４３】
［誘導プログラム］
ＣＰＵ２１３が誘導プログラム２３を実行することにより、端末装置２００は誘導モードの動作を行う。誘導モードは、少なくとも１つの誘導パターンに従って複数の照明器具１００における調光および調色の少なくとも一方を制御する動作モードである。この制御では、既に説明したように、複数の照明器具による照明光が誘導方向に人の視覚上流れるように変化させる。この照明光の視覚上の流れが人の移動を誘導する。誘導モードで実行される誘導パターンは、誘導スケジュール２３ｓまたはユーザ操作に従って選択される。
【００４４】
図５は、実施の形態における誘導モードにおける視覚上の照明光の流れの一例を示す図である。同図中の白丸およびハッチングされた丸印のそれぞれは照明器具１００を表す。白丸の照明光は、ハッチングされた丸印の照明光よりも明るい（または暗い）状態を示す。端末装置２００は、誘導モードにおいて、複数の照明器具１００のうちの制御対象の照明器具１００（例えば図５の白丸）の照度を、環境照度つまり複数の照明器具１００の平均的な照度の２倍以上または２分の１以下に変化させることが望ましい。また、端末装置２００は、誘導モードにおいて、複数の照明器具１００のうちの制御対象の照明器具１００の色温度を、環境色温度に対して５００Ｋ以上の差になるように変化させることが望ましい。これにより、視覚上の光の流れを人に知覚させることができる。
【００４５】
また、誘導パターンが緊急時の避難パターンである場合には、制御対象の照明器具１００の照度を、環境照度の３倍以上または３分の１以下に変化させることが望ましい。これにより、視覚上の光の流れをより明確に人に知覚させることができる。
【００４６】
破線枠は照明器具１００のグループ１０ｇを示す。図５では、１つのグループ１０ｇにおける一定時間毎の照明光の変化を示す。図５の上から１番目のグループ１０ｇにおいて、左から１番目の照明器具１００の照明光は他の照明器具１００よりも明るくなっている。一定時間後の２番目のグループ１０ｇでは左から２番目の照明器具１００の照明光が他の照明器具１００よりも明るくなっている。このように照明器具１００の明るさが一定時間毎に変化することにより、視覚上照明光の流れに方向性を持たせている。なお、一定時間は、数１００ｍＳ〜数秒でよく、例えば０．５秒でよい。
【００４７】
図６は、実施の形態における誘導設定モードの表示画面の一例を示す図である。図６の表示画面は、照明マップ２１ａおよび誘導設定モードでの設定事項を含む。図６は、図４と比べてフロアマップ２１ｂが重畳表示されていない点が異なる。フロアマップ２１ｂを重畳表示するか否かはユーザ操作に従って決定される。
【００４８】
ユーザは、誘導設定モードにおいて、照明マップ２１ａを含む表示画面上で、複数の照明器具１００のグループの設定または変更と誘導方向の設定または変更とを容易にすることができる。
【００４９】
［動作］
以上のように構成された本実施の形態における点灯制御システムについて、以下その動作について説明する。
【００５０】
図７Ａは、実施の形態における端末装置の処理例を示すフローチャート図である。図７Ｂは、図７ＡのステップＳ６３の配置設定モードでの処理例を示すフローチャート図である。図７Ｃは、図７ＡのステップＳ６４の誘導設定モードでの処理例を示すフローチャート図である。
【００５１】
図７Ａのように、端末装置２００は、まずメニュー表示をする（Ｓ６１）。図８Ａは、実施の形態における端末装置２００のメニュー画面例を示す図である。このメニュー画面例では、配置設定モードを示すアイコンｉ１、誘導設定モードを示すアイコンｉ２、誘導モードを示すアイコンｉ３が選択肢として表示されている。
【００５２】
次に、端末装置２００は、メニュー表示に対するユーザ操作がどのアイコンに対してなされたかを判別する（Ｓ６２）。ユーザ操作においてアイコンｉ１が選択された場合（ケースＣ１）は配置設定モード（Ｓ６３）に進み、アイコンｉ２が選択された場合（ケースＣ２）は誘導設定モード（Ｓ６４）に進み、アイコンｉ３が選択された場合（ケースＣ３）は誘導モード（Ｓ６５）に進む。
【００５３】
［配置設定モード］
配置設定モードでは、図７Ｂのように、端末装置２００は、まず、空間内の人の移動を制限する物の配置を示すフロアマップ２１ｂをユーザ操作に基づいて作成または変更する（Ｓ７１）。例えば、フロアマップ２１ｂは、ユーザ操作によって店舗フロア上の物の配置を設定又は変更してもよいし、カメラ２１６によって撮像された店舗のレイアウト図面の画像に基づいて作成してもよい。
【００５４】
次に、端末装置２００は、空間における複数の照明器具１００の配置を示す照明マップ２１ａをユーザ操作に基づいて作成または変更する（Ｓ７２）。例えば、照明マップ２１ａは、ユーザ操作によって店舗フロア上の物の配置を設定又は変更してもよいし、カメラ２１６によって撮像された店舗の照明レイアウト図面の画像に基づいて作成してもよい。
【００５５】
図８Ｂは、実施の形態における端末装置の配置設定モードでの画面例を示す図である。同図では、図７Ｂのように設定または変更された照明マップ２１ａとフロアマップ２１ｂとが重畳表示されている。
【００５６】
［誘導設定モード］
誘導設定モードでは、図７Ｃのように、端末装置２００は、表示画面上の照明マップ２１ａに対するユーザ操作を受け付けることにより、照明器具１００のグループ設定または変更を行う（Ｓ８１）。さらに、端末装置２００は、ユーザ操作を受け付けることにより、グループ単位で、または、照明器具単位で、調光または調色の効果を設定または変更し（Ｓ８２）、効果オプションの設定または変更する（Ｓ８３）。調光効果の設定は、例えば図５に示したような視覚上の光の流れの設定である。効果オプションの設定は、例えば、視覚上の光の流れで調光が変化する照明器具（例えば図５の白丸）をどのタイミングでも１つするか、複数にするか等の設定である。
【００５７】
図８Ｃは、実施の形態における端末装置の誘導設定モードでの画面例を示す図である。同図では、画面上部に、照明マップ２１ａ上で、複数の照明器具１００に３つのグループ（図中の破線枠）が設定され、グループ毎の光の流れの方向（図中の太い矢線）が設定されている。また、画面下部に、設定表が表示されている。同図の設定表は、グループ番号、照明器具の識別子、調光度、調色度、効果、時間等が設定可能になっている。端末装置２００は、例えば、ユーザ操作によって太い矢線（視覚上の光の流れの方向）を受け付けると、対応するグループ内の照明器具について標準的なデータ（デフォルトデータ）を設定表に設定する。さらに、端末装置２００は、設定表の細部の変更を受け付ける。この設定表は、誘導パターンとしてメモリ２１４に保存または変更される。
【００５８】
また、誘導設定モードでは、端末装置２００は、端末装置２００は、ユーザ操作に基づいて、図３Ｂに示したような誘導スケジュール２３ｓの設定または変更を受け付けてメモリ２１４に保存または変更する（Ｓ８５）。
【００５９】
［誘導モード］
誘導モードにおいて、図７Ａに示すように、端末装置２００は、ユーザ操作により指定された誘導パターン、または、誘導スケジュール２３ｓの条件を満たす誘導パターンを選択する。端末装置２００は、選択した誘導パターンに従って、複数の照明器具１００における調光および調色の少なくとも一方を制御する（Ｓ６５）。このステップＳ６５では、誘導スケジュール２３ｓの何れかの条件が満たされているかが、常時判定される（Ｓ６６）。この判定において、何れの条件も満たされていない場合は（ケースＣ４）、現在の誘導パターンを続行する。メニュー表示を指示するユーザ操作があった場合は（ケースＣ５）、端末装置２００は、ステップＳ６１に進む。誘導スケジュール２３ｓの他の条件が満たされる場合は（ケースＣ６）、遷移モードに入る（Ｓ６７）。遷移モードでは、端末装置２００は、現在の誘導パターンから当該他の条件を満たす誘導パターンに遷移する。
【００６０】
図８Ｄは、実施の形態における端末装置の誘導モードでの画面例を示す図である。同図では、照明マップ２１ａとフロアマップ２１ｂとが重畳表示されている。誘導モードでは、さらに、図８Ｄにおいて照明器具のアイコン（白丸）の調光および色温度を、実際の照明器具１００の照明に合わせて、変化させるようにしてもよい。
【００６１】
［誘導例］
次にいくつかの誘導例について説明する。
【００６２】
図９Ａは、実施の形態における端末装置による誘導の一例を示す図である。図９Ｂは、実施の形態における端末装置の誘導の他の例を示す図である。図９Ａ、図９Ｂは、例えば、店舗内の床、壁および天井で囲まれた空間において、丸印は天井の照明器具を表している。太い矢線は、例えば、図９Ａは午前中の誘導パターンを、図９Ｂは午後の誘導パターンを示している。図９Ａ、図９Ｂでは、午前中は、手前から奥行きに人を誘導し、午後は奥から手前向きに人を誘導している。ユーザは、図９Ａ、図９Ｂに対応する２つの誘導パターンを設定しておけば、ユーザ操作により午前と午後でそれぞれ誘導することができる。さらに、ユーザは、対応する誘導スケジュール２３ｓを作成しておけば、自動的に２つの誘導を切り替えることができる。
【００６３】
図１０Ａは、実施の形態における端末装置の誘導の一例を示す図である。図１０Ｂは、実施の形態における端末装置の避難誘導の一例を示す図である。図１０Ａは、災害時以外の平常時の誘導例を示し、図１０Ｂは災害時の避難誘導例を示す。ユーザは、図１０Ａ、図１０Ｂに対応する誘導パターンおよび誘導スケジュール２３ｓを作成しておけば、自動的に２つの平常時の誘導と災害時の避難誘導とを切り替えることができる。
【００６４】
［他の構成等］
なお、点灯制御システムは、図２の構成例に限らない。
【００６５】
図１１は、実施の形態における点灯制御システムの他の構成例を示すブロック図である。同図の点灯制御システムは、図２と比べて、制御装置３００が追加された点と、複数の照明器具１００は端末装置２００と通信する代わりに制御装置３００と通信する点とが異なる。以下、異なる点を中心に説明する。
【００６６】
複数の照明器具１００における通信部１１３は、制御装置３００の通信部３１６と有線通信をする。
【００６７】
制御装置３００は、操作部３１０、ＣＰＵ３１３、メモリ３１４、通信部３１５を備える。制御装置３００は、例えば、照明器具１００を集中管理する装置であり、建物のフロア毎又は部屋毎に設けられる。
【００６８】
操作部３１０は、ユーザ操作を受け付ける。操作部３１０は、例えば、表示パネルとタッチパネルを含むユーザインターフェース部であってもよいし、簡易な操作パネルであってもよい。
【００６９】
ＣＰＵ３１３は、メモリ３１４に記憶されたプログラムを実行する。端末装置２００の行う配置設定モード、誘導設定モード、誘導モードのうち、少なくとも誘導モードの動作を行う。
【００７０】
メモリ３１４は、図３Ｂに示したメモリ２１４のプログラムおよびデータのうち、少なくとも誘導プログラム２３および誘導データ２３ｄを記憶する。誘導データ２３ｄは、端末装置２００から無線通信により制御装置３００に送信され、メモリ３１４に記憶される。
【００７１】
通信部３１５は、複数の照明器具１００のそれぞれと有線通信する。
【００７２】
通信部３１６は、端末装置２００と無線通信する。
【００７３】
この構成によれば、制御装置３００が、誘導モードの動作を行うので、端末装置２００は誘導モードから解放される。例えば、端末装置２００は、他の店舗でも使用可能になる。
【００７４】
なお、通信部３１５は、有線通信でなく無線通信でもよい。
【００７５】
このように構成された実施の形態に係る点灯制御システムおよび端末装置によれば、状況に応じて人の誘導パターンを容易に変更することができる。
【００７６】
例えば、店舗照明などで店内でのお客の動きを誘導できれば、回遊時間や滞留時間が伸び、商品の買上げ点数が増える傾向がある。また、ショッピングモールなどの共用空間や通路などでお客の動きを誘導できれば、来店者数が増える傾向がある。
【００７７】
実施の形態に係る点灯制御システムおよび端末装置によれば、照明の調光や調色により、お客の動きを誘導することが可能であり、売上向上につながる可能性がある。
【００７８】
また、店舗ではレイアウト変更などによりお客を誘導したい方向が変わることがあり、また共用空間や通路では時間帯などによりお客の流れや量などが変わることがある。このような変化に対して、実施の形態に係る点灯制御システムおよび端末装置は容易に対応することができる。
【００７９】
以上のように実施の形態１に係る点灯制御システムは、空間を照らす複数の照明器具１００と、ユーザインターフェース部２１０を有する端末装置２００とを備え、端末装置２００は、動作モードとして設定モードと誘導モードとを有し、設定モードにおいて、端末装置は、空間における人に対する誘導経路を含む少なくとも１つの誘導パターン２２ａの設定操作または変更操作を、ユーザインターフェース部を介して受け付け、誘導モードにおいて、端末装置２００は、少なくとも１つの誘導パターンに従って複数の照明器具における調光および調色の少なくとも一方を制御する。
【００８０】
これによれば、誘導パターンの設定操作または変更操作によって、状況に応じて人の誘導パターンを容易に変更することができる。
【００８１】
ここで、設定モードにおいて、端末装置２００は、複数の誘導パターン２２ａ〜２２ｎの設定操作を、ユーザインターフェース部２１０を介して受け付け、複数の誘導パターン２２ａ〜２２ｎを記憶し、誘導モードにおいて、端末装置２００は、複数の誘導パターン２２ａ〜２２ｎのうちの１つの誘導パターンを選択し、選択した誘導パターンに従って複数の照明器具１００における調光および調色の少なくとも一方を制御してもよい。
【００８２】
これによれば、複数の誘導間ターンの選択によって、状況に応じて人の誘導パターンを容易に変更することができる。できる。
【００８３】
ここで、設定モードは、配置設定モードと誘導設定モードとを含み、配置設定モードにおいて、端末装置２００は、空間における複数の照明器具１００の配置を示す配置データ２１ｄの設定操作を、ユーザインターフェース部２１０を介して受け付け、誘導設定モードにおいて、端末装置２００は、配置データ２１ｄに従って複数の照明器具１００の配置図をユーザインターフェース部２１０に表示し、かつ、少なくとも１つの誘導パターンの設定操作を、ユーザインターフェース部２１０を介して受け付けてもよい。
【００８４】
これによれば、照明器具の配置変更にも容易に対応することができる。
【００８５】
ここで、配置データ２１ｄは、空間内における人の移動を制限する物の配置を示すフロアマップ２１ｂを含み、
誘導設定モードにおいて、端末装置２００は、配置データ２１ｄに従ってフロアマップ２１ｂを配置図に重畳させてユーザインターフェース部２１０に表示してもよい。
【００８６】
これによれば、空間内における人の移動を制限する物の配置の変更にも容易に対応することができる。
【００８７】
ここで、設定モードにおいて、端末装置２００は、複数の誘導パターン２２ａ〜２２ｎを組み合わせた誘導スケジュール２３ｓを作成する設定指示を、ユーザインターフェース部２１０を介して受け付け、誘導モードにおいて、端末装置２００は、誘導スケジュール２３ｓに従って複数の誘導パターン２２ａ〜２２ｎのうちの１つの誘導パターンを選択してもよい。
【００８８】
これによれば、誘導パターンを組み合わせたスケジュールによって、状況の変化に容易に対応することができる。
【００８９】
ここで、少なくとも１つの誘導パターンは、平常時用の誘導パターン２２ａ〜２２ｎと、災害時用の避難パターン２２ｚとを含み、誘導モードにおいて、端末装置２００は、避難パターン２２ｚにおける調光および調色の少なくとも一方の変化を、平常時用の誘導パターンの調光および調色の少なくとも一方の変化よりも大きくするように制御してもよい。
【００９０】
これによれば、平常時だけでなく災害時にも容易に対応することができる。
【００９１】
ここで、端末装置２００は、誘導モードにおいて、複数の照明器具１００のうちの制御対象の照明器具１００の照度を、環境照度の２倍以上または２分の１以下に変化させてもよい。
【００９２】
これによれば、誘導するための視覚上の光の流れを効果的に制御することができる。
【００９３】
ここで、端末装置２００は、誘導モードにおいて、複数の照明器具１００のうちの制御対象の照明器具１００の色温度を、環境色温度に対して５００Ｋ以上の差になるように変化させてもよい。
【００９４】
これによれば、誘導するための視覚上の光の流れを効果的に制御することができる。
【００９５】
以上のように実施の形態１に係る端末装置は、空間を照らす複数の照明器具１００を制御する端末装置２００であって、ユーザインターフェース部２１０を備え、端末装置２００は、動作モードとして設定モードと誘導モードとを有し、設定モードにおいて、空間における人に対する誘導経路を含む少なくとも１つ誘導パターン２２ａの設定操作または変更操作を、ユーザインターフェース部２１０を介して受け付け、誘導モードにおいて、少なくとも１つの誘導パターンに従って複数の照明器具１００における調光および調色の少なくとも一方を制御する。
【００９６】
これによれば、誘導パターンの設定操作または変更操作によって、状況に応じて人の誘導パターンを容易に変更することができる。
【００９７】
以上、本発明に係る点灯制御システムおよび端末装置について、実施の形態に基づいて説明したが、本発明は、実施の形態に限定されるものではない。本発明の主旨を逸脱しない限り、当業者が思いつく各種変形を本実施の形態に施したものや、実施の形態及び変形例における一部の構成要素を任意に組み合わせて構築される別の形態も、本発明の範囲内に含まれる。
【符号の説明】
【００９８】
２１ｂ  フロアマップ
２１ｄ  配置データ
２２ａ  誘導パターン
２２ｂ  誘導パターン
２２ｎ  誘導パターン
２２ｚ  避難パターン
２３ｄ  誘導データ
２３ｓ  誘導スケジュール
１００  照明器具
２００  端末装置
２１０  ユーザインターフェース部
【図１】
0006473998.tif 000002
【図２】
0006473998.tif 000003
【図３Ａ】
0006473998.tif 000004
【図３Ｂ】
0006473998.tif 000005
【図４】
0006473998.tif 000006
【図５】
0006473998.tif 000007
【図６】
0006473998.tif 000008
【図７Ａ】
0006473998.tif 000009
【図７Ｂ】
0006473998.tif 000010
【図７Ｃ】
0006473998.tif 000011
【図８Ａ】
0006473998.tif 000012
【図８Ｂ】
0006473998.tif 000013
【図８Ｃ】
0006473998.tif 000014
【図８Ｄ】
0006473998.tif 000015
【図９Ａ】
0006473998.tif 000016
【図９Ｂ】
0006473998.tif 000017
【図１０Ａ】
0006473998.tif 000018
【図１０Ｂ】
0006473998.tif 000019
【図１１】
0006473998.tif 000020